(57)【要約】【課題】端子の係止片がコネクタ本体の内面に接触しても、係止片によってコネクタ本体が削れることがなく、しかも端子の動作も円滑に行うことができ、係止片の変形も生ずることのないコネクタを提供する。【解決手段】コネクタ本体１０の内面に係止する第２の係止片２５ｂをコネクタ本体１０の内面との接触部分が曲面状をなすように形成したので、第２の係止片２５ｂの接触によってコネクタ本体１０の内面が削れることがなく、コネクタ本体１０の品質を低下させることがないという利点がある。この場合、第２の係止片２５ｂがコネクタ本体１０の内面に突き刺さることもないので、端子２０を常に円滑に動作させることができるとともに、第２の係止片２５ｂが突き刺さった状態で外力が加わることもないので、第２の係止片２５ｂの変形を確実に防止することができる。【選択図】図３
2008066199.tif 000002
【特許請求の範囲】
【請求項１】
接続対象物と接触する弾性変形可能な端子と、端子を保持する絶縁性のコネクタ本体とを備え、端子の一端側をコネクタ本体内に固定し、端子の他端側をコネクタ本体の一端側の面に設けた開口部から外部に突出させるとともに、端子の幅方向両側に設けた係止片をコネクタ本体の一端側の内面に係止することにより、端子の変位を所定位置で規制するようにしたコネクタにおいて、
前記係止片をコネクタ本体の一端側の内面に接触する部分が曲面状をなすように形成した
ことを特徴とするコネクタ。
【請求項２】
前記係止片をコネクタ本体の他端側に向かって屈曲させることにより曲面状に形成した
ことを特徴とする請求項１記載のコネクタ。
【発明の詳細な説明】
【技術分野】
【０００１】
本発明は、例えば携帯電話機用の充電式電池を携帯電話機本体側と電気的に接続するためのコネクタに関するものである。
【背景技術】
【０００２】
一般に、携帯電話機の本体背面側には、充電式電池からなるバッテリーが着脱自在に取付けられており、バッテリーの接点には携帯電話機本体側に設けられたコネクタが接触することにより、バッテリーと携帯電話機本体がコネクタを介して電気的に接続されるようになっている（例えば、特許文献１参照。）。
【０００３】
前記コネクタは、バッテリー等の接続対象物と接触する弾性変形可能な複数の端子と、各端子を保持する絶縁性のコネクタ本体とを備え、各端子の一端側をコネクタ本体内に固定するとともに、各端子の他端側をコネクタ本体の一端側の面から外部に突出させ、接続対象物をコネクタ本体の所定方向から端子の他端側に接触させることにより、各端子をコネクタ本体側に弾性変形させて接続対象物の電気接点に圧接させるように構成されている（例えば、特許文献２参照。）。
【０００４】
また、前記コネクタでは、図５及び図６に示すように端子１の幅方向両側に設けた係止片１ａをコネクタ本体２の一端側の内面に係止することにより、端子１の変位を所定位置で規制し、不適正な方向への端子１の変位を防止するようにしている。
【特許文献１】特開平９−３６９４１号公報
【特許文献２】特開２００４−２６５５９８号公報
【発明の開示】
【発明が解決しようとする課題】
【０００５】
しかしながら、前記コネクタでは、係止片１ａの先端がコネクタ本体２の内面に接触するため、係止片１ａの先端によってコネクタ本体２の内面が削れ、コネクタ本体２の品質を低下させるという問題点があった。また、係止片１ａの先端がコネクタ本体２の内面に突き刺さり易いため、端子１の円滑な動作が妨げられるとともに、係止片１ａが突き刺さった状態で外力が加わることにより係止片１ａの変形を生ずるという問題点もあった。
【０００６】
本発明は前記問題点に鑑みてなされたものであり、その目的とするところは、端子の係止片がコネクタ本体の内面に接触しても、係止片によってコネクタ本体が削れることがなく、しかも端子の動作も円滑に行うことができ、係止片の変形も生ずることのないコネクタを提供することにある。
【課題を解決するための手段】
【０００７】
本発明は前記目的を達成するために、接続対象物と接触する弾性変形可能な端子と、端子を保持する絶縁性のコネクタ本体とを備え、端子の一端側をコネクタ本体内に固定し、端子の他端側をコネクタ本体の一端側の面に設けた開口部から外部に突出させるとともに、端子の幅方向両側に設けた係止片をコネクタ本体の一端側の内面に係止することにより、端子の変位を所定位置で規制するようにしたコネクタにおいて、前記係止片をコネクタ本体の一端側の内面に接触する部分が曲面状をなすように形成している。
【０００８】
これにより、係止片におけるコネクタ本体の内面との接触部分が曲面状をなすように形成されていることから、係止片の接触によってコネクタ本体の内面が削れたり、係止片がコネクタ本体の内面に突き刺さることがない。
【発明の効果】
【０００９】
本発明のコネクタによれば、係止片の接触によってコネクタ本体の内面が削れることがないので、コネクタ本体の品質を低下させることがないという利点がある。この場合、係止片がコネクタ本体の内面に突き刺さることもないので、端子を常に円滑に動作させることができるとともに、係止片が突き刺さった状態で外力が加わることもないので、係止片の変形を確実に防止することができる。
【発明を実施するための最良の形態】
【００１０】
図１乃至図４は本発明の一実施形態を示すもので、図１はコネクタの斜視図、図２は端子の斜視図、図３はコネクタの側面断面図、図４はその要部拡大側面図である。
【００１１】
このコネクタは、絶縁性のコネクタ本体１０と、コネクタ本体１０に保持された複数の端子２０とからなり、各端子２０は接続対象物としてのバッテリー（図示せず）と接触するようになっている。
【００１２】
コネクタ本体１０は合成樹脂の成形品からなり、各端子２０が配置される複数の端子孔１１を幅方向に間隔をおいて有している。各端子孔１１はコネクタ本体１０の前面（一端側の面）及び下面に開口しており、その上面側及び背面側（コネクタ本体１０の他端側の面側）はコネクタ本体１０の上面壁１２及び背面壁１３によって囲まれている。この場合、端子孔１１の前面側開口部１１ａは端子孔１１の内部よりも幅寸法が小さく形成されている。また、コネクタ本体１０の前面には各端子孔１１の幅方向両側から前方に突出する複数の突出部１４が設けられている。コネクタ本体１０内には背面壁１３に沿って上下方向に延びる端子保持溝１５が設けられ、端子保持溝１５は端子孔１１の幅方向両面に設けられている。即ち、端子保持溝１５に端子２０の一端側を下方から圧入することにより、端子２０がコネクタ本体１０に保持されるようになっている。また、コネクタ本体１０の底面には金属製の複数の固定部材１６が互いに幅方向に間隔をおいて取付けられており、各固定部材１６は図示しない基板に半田付け等により固定されるようになっている。
【００１３】
各端子２０はその一部を略Ｓ字状に形成された弾性変形可能な導電性の金属板からなり、その一端側はコネクタ本体１０に固定されている。端子２０は、コネクタ本体１０の背面壁１３に沿って上下方向に延びる第１の平板部２１と、第１の平板部２１の上端から下方に向かって屈曲する第１の屈曲部２２と、第１の屈曲部２２から下方に延びる第２の平板部２３と、第２の平板部２３の下端から斜め上方に向かって屈曲する第２の屈曲部２４と、第２の屈曲部２４から上方に延びる第３の平板部２５と、第３の平板部２５の上端から斜め下方に向かって屈曲する第３の屈曲部２６と、第３の屈曲部２６からコネクタ本体１０の前面を介して前方に前下りに延びる第４の平板部２７と、第４の平板部２７の前端から後方に向かって屈曲する接触部２８と、接触部２８から後方に延びる第５の平板部２９とから形成され、第１の平板部２１の下端には図示しない基板等に接続される接続部２１ａが設けられている。即ち、端子２０は、略Ｓ字状部分の各屈曲部２２，２４，２６を基点に接続対象物の接触方向（前後方向）に変形するようになっている。また、第５の平板部２９の下端にはコネクタ本体１０の前面側の内面に係止する第１の係止片２９ａが設けられ、各第１の係止片２９ａは端子孔１１の前面側開口部１１ａよりも幅が広くなるように幅方向外側に向かって延出している。第３の平板部２５の上端側の幅方向両側にはコネクタ本体１０の前面側の内面に係止する第２の係止片２５ｂがそれぞれ設けられ、各第２の係止片２５ｂは端子孔１１の前面側開口部１１ａよりも幅が広くなるように形成されている。この場合、各第２の係止片２５ｂは上方に向かって延出するとともに、コネクタ本体１０の内面との接触部分が曲面状をなすように後方に向かって屈曲している。
【００１４】
以上のように構成されたコネクタは、例えば携帯電話機におけるバッテリー収納部の基板に取付けられる。即ち、接続対象物としてのバッテリー（図示せず）が端子２０の接触部２８に接触すると、図３の一点鎖線に示すように端子２０がコネクタ本体１０の後方に向かって変形し、バッテリーの接触が解除されると、端子２０の弾性により接触部２８が前方に戻る。また、コネクタ本体１０の前面側の内面に端子２０の第１の係止片２９ａ及び第２の係止片２５ｂが係止することにより、端子２０の前方への変位が所定位置で規制され、端子２０の不適正な方向への変形が防止される。この場合、第２の係止片２５ｂは、コネクタ本体１０の内面との接触部分が曲面状をなすように形成されていることから、第２の係止片２５ｂの接触によってコネクタ本体１０の内面が削れたり、第２の係止片２５ｂがコネクタ本体１０の内面に突き刺さることがない。
【００１５】
このように、本実施形態のコネクタによれば、コネクタ本体１０の内面に係止する第２の係止片２５ｂをコネクタ本体１０の内面との接触部分が曲面状をなすように形成したので、第２の係止片２５ｂの接触によってコネクタ本体１０の内面が削れることがなく、コネクタ本体１０の品質を低下させることがないという利点がある。この場合、第２の係止片２５ｂがコネクタ本体１０の内面に突き刺さることもないので、端子２０を常に円滑に動作させることができるとともに、第２の係止片２５ｂが突き刺さった状態で外力が加わることもないので、第２の係止片２５ｂの変形を確実に防止することができる。
【００１６】
また、第２の係止片２５ｂをコネクタ本体１０の後方に向かって屈曲させることにより曲面状に形成するようにしたので、第２の係止片２５ｂを曲げ加工により容易に形成することができ、製造上極めて有利である。
【図面の簡単な説明】
【００１７】
【図１】本発明の一実施形態を示すコネクタの斜視図
【図２】端子の斜視図
【図３】コネクタの側面断面図
【図４】コネクタの要部拡大側面図
【図５】従来例を示すコネクタの側面断面図
【図６】従来例を示すコネクタの要部拡大側面図
【符号の説明】
【００１８】
１０…コネクタ本体、２０…端子、２５ｂ…第２の係止片、１１ａ…前面側開口部。
【図１】
2008066199.tif 000003
【図２】
2008066199.tif 000004
【図３】
2008066199.tif 000005
【図４】
2008066199.tif 000006
【図５】
2008066199.tif 000007
【図６】
2008066199.tif 000008